(57)【要約】【課題】不連続が発生しないタイムコード同期を取ることが可能なタイムコード同期装置を提供する。【解決手段】外部から補正指示信号が入力されたら、記録する映像信号から分離させた映像同期信号の発生タイミングを、入力されるタイムコードの更新タイミングにおける所定の位置になるように補正する映像同期信号補正部（１０２）と、前記映像同期信号補正部で補正された映像同期信号の発生タイミングで前記タイムコードを読み取るタイムコード読み取り部（１０１）と、前記タイムコード読み取り部で読み取ったタイムコードを前記記録する映像信号に付加するタイムコード設定部（１０３）とを備える【選択図】      図３
2014067463.tif 000002
【特許請求の範囲】
【請求項１】
外部から補正指示信号が入力されたら、記録する映像信号から分離させた映像同期信号の発生タイミングを、入力されるタイムコードの更新タイミングにおける所定の位置になるように補正する映像同期信号補正部と、
前記映像同期信号補正部で補正された映像同期信号の発生タイミングで前記タイムコードを読み取るタイムコード読み取り部と、
前記タイムコード読み取り部で読み取ったタイムコードを前記記録する映像信号に付加するタイムコード設定部と、
を備えることを特徴とするタイムコード同期装置。
【請求項２】
前記タイムコード設定部は、前記タイムコード読み取り部で読み取られたタイムコードを前記記録する映像信号に付加する処理を所定回数行なった後は、前記タイムコード設定部自体が、タイムコードの値を所定数増加させて前記記録する映像信号に付加する処理を繰り返すことを特徴とする請求項１記載のタイムコード同期装置。
【請求項３】
外部から補正指示信号が入力されたら、記録する映像信号から分離させた映像同期信号の発生タイミングを、入力されるタイムコードの更新タイミングにおける所定の位置になるように補正する映像同期信号補正ステップと、
前記映像同期信号補正ステップで補正された映像同期信号の発生タイミングで前記タイムコードを読み取るタイムコード読み取りステップと、
前記タイムコード読み取りステップで読み取ったタイムコードを前記記録する映像信号に付加するタイムコード設定ステップと、
を含むことを特徴とするタイムコード同期方法。
【発明の詳細な説明】
【技術分野】
【０００１】
本発明は、複数の映像記録装置に同時に記録される各映像信号に付加するタイムコードを同期させるタイムコード同期装置、及びタイムコード同期方法に関する。
【背景技術】
【０００２】
映像信号を記録メディアに記録する場合、記録した映像信号の時間的位置を特定するために、映像信号にタイムコードを付加して記録することが一般的に行なわれる。タイムコードは、「時：分：秒：フレーム」で表される。フレームレートは通常３０フレーム／秒であるので、フレームの桁は、値が０から２９までの範囲で巡回カウントアップされる。例えば「０２：１４：３６：１９」
は、２時１４分３６秒１９フレームである。このタイムコードは、通常の場合、映像記録装置に内蔵されたタイムコード信号発生器により生成される。
【０００３】
ところで、複数台のカメラと映像記録装置を用いて同一被写体を撮像・記録し、後からタイムコードを用いて編集をするような用途がある。この場合、複数の映像記録装置のうちいずれか１台をマスターとし、このマスターとなった映像信号記録装置から他のスレーブとなる映像記録装置に映像同期信号とタイムコードとを供給する。スレーブ側の映像記録装置は、マスターの映像記録装置から供給された映像同期信号に自装置に記録する映像信号を同期させると共に、この同期させた映像信号に、同じくマスターの映像記録装置から供給されたタイムコードを付加して記録する。これにより、それぞれの映像記録装置に記録される映像信号は、互いに映像同期が取れ、かつ、タイムコードも同期がとれたものとなる。従って、記録されたそれぞれの映像信号は時間軸が一致するので、その後の編集作業が容易となる。
【０００４】
しかしながら、外部から供給される映像同期信号に自装置に記録する映像信号を同期させる機能（外部映像同期機能）を搭載するにはコストがかかる。映像信号の同期とタイムコードの同期とは一対の関係で運用される場合が多いが、映像信号の同期はとらずにタイムコードのみ同期させた場合であっても、その後の編集作業を容易とする点においては有効であり意味がある。コストダウンのため、外部映像同期機能を省き、タイムコードのみを同期させる技術が、例えば特許文献１に記載されている。
【先行技術文献】
【特許文献】
【０００５】
【特許文献１】特開２００６−４５７５
【発明の概要】
【発明が解決しようとする課題】
【０００６】
しかしながら特許文献１記載の技術は、タイムコード同期開始の時点において正しくタイムコードが読み取れることを前提としたものである。また、タイムコードを読み取る際に、外乱などの異常が発生し、タイムコード値の更新値が０〜２の範囲外の異常値になった場合は、その異常値をタイムコード値として採用してしまい、その時点でタイムコード同期が不連続になってしまうという問題が残っていた。
【０００７】
本発明は、このような状況を鑑みてなされたものであり、その目的は、外部映像同期機能を省き、タイムコードのみを同期させる場合においても、不連続が発生しないタイムコード同期を取ることが可能なタイムコード同期装置、及びタイムコード同期方法を提供することにある。
【課題を解決するための手段】
【０００８】
上記課題を解決するために、本発明は、下記の装置、方法を提供するものである。
（１）外部から補正指示信号が入力されたら、記録する映像信号から分離させた映像同期信号の発生タイミングを、入力されるタイムコードの更新タイミングにおける所定の位置になるように補正する映像同期信号補正部（１０２）と、
前記映像同期信号補正部で補正された映像同期信号の発生タイミングで前記タイムコードを読み取るタイムコード読み取り部（１０１）と、
前記タイムコード読み取り部で読み取ったタイムコードを前記記録する映像信号に付加するタイムコード設定部（１０３）と、
を備えることを特徴とするタイムコード同期装置。
（２）前記タイムコード設定部は、前記タイムコード読み取り部で読み取られたタイムコードを前記記録する映像信号に付加する処理を所定回数行なった後は、前記タイムコード設定部自体が、タイムコードの値を所定数増加させて前記記録する映像信号に付加する処理を繰り返すことを特徴とする上記（１）記載のタイムコード同期装置。
（３）外部から補正指示信号が入力されたら、記録する映像信号から分離させた映像同期信号の発生タイミングを、入力されるタイムコードの更新タイミングにおける所定の位置になるように補正する映像同期信号補正ステップと、
前記映像同期信号補正ステップで補正された映像同期信号の発生タイミングで前記タイムコードを読み取るタイムコード読み取りステップと、
前記タイムコード読み取りステップで読み取ったタイムコードを前記記録する映像信号に付加するタイムコード設定ステップと、
を含むことを特徴とするタイムコード同期方法。
【発明の効果】
【０００９】
本発明によれば、外部映像同期機能を省き、タイムコードのみを同期させる場合においても、不連続が発生しないタイムコード同期を取ることが可能となる。
【図面の簡単な説明】
【００１０】
【図１】タイムコード同期の様子を示すシステム構成図である。
【図２】タイムコード同期の様子を示すタイミングチャートである。
【図３】本実施例のタイムコード同期装置、及びこのタイムコード同期装置を搭載した映像記録装置の構成を示す構成図である。
【図４】本実施例のタイムコード同期の様子を示すタイミングチャートである。
【図５】本実施例のタイムコード同期方法のフローチャートである。
【発明を実施するための形態】
【００１１】
以下、添付図面を参照して本発明の実施の形態を説明する。
＜システム構成＞
図１は、複数の映像記録装置間におけるタイムコード同期の様子を示すシステム構成図である。同図が示すように、複数の映像記録装置１には、カメラ５からそれぞれ映像信号が入力される。また、これらの映像記録装置１のうちいずれか１つがマスターとなり、このマスターとなった映像記録装置１から他のスレーブとなる映像記録装置１にタイムコードが供給される。タイムコードは、例えばＬＴＣ(Longitudinal Time Code)として８０bitのシリアルデータで送受信される。これには、エラー判定のためのエラーコレクションビットのような情報は含まれていない。従って、受信側であるスレーブの映像記録装置１ではエラー判定処理の実装が必要になる。
＜タイムコード同期＞
図２は上記システムのスレーブとなる映像記録装置１におけるタイムコード同期の様子を示すタイミングチャートである。マスターの映像記録装置１から入力されるタイムコード（入力タイムコード）は、スレーブの映像記録装置１と接続されたカメラ５から入力される映像信号から分離させた映像同期信号に基づいて発生させたトリガ信号のタイミングで読み取られる。なお、このトリガ信号は物理的に生成されたものでなくても良いことはいうまでもない。例えばＣＰＵで実行されるプログラムによってソフトウェア的にフレームに同期したタイミングでタイムコードを読み込む構成でも良い。この読み込むタイミングをタイミングチャート上で示すために本実施例ではトリガ信号というものを定義している。映像同期信号とトリガ信号とは実質的に同じものと考えて差し支えない。
【００１２】
このとき、入力タイムコードの更新タイミングは、マスターの映像記録装置１の映像信号に同期しており、トリガ信号の発生タイミングは、スレーブの映像記録装置１の映像信号に同期している。しかし、マスター側とスレーブ側との間では映像信号の同期を取っていないので、入力タイムコードの更新タイミングとトリガ信号の発生タイミングとの位置関係は不定となる。そして、この入力タイムコードの更新タイミングとトリガ信号の発生タイミングとの位置関係が図２（Ａ）のような関係となっている場合、入力タイムコードは安定して読み込まれる。
【００１３】
しかしながら、入力タイムコードの更新タイミングとトリガ信号の発生タイミングとの位置関係が図２（Ｂ）のようにほぼ一致する関係となった場合、トリガ信号の微妙な時間変動によって、入力タイムコードを２度読みしたり、読み飛ばしたりしてしまう問題が長時間にわたって発生する。図２（Ｂ）の読み取りタイムコードの斜線網掛け部分がその問題が発生した部分である。
【００１４】
本発明は、この図２（Ｂ）の問題を解決することを目的としたものである。
＜タイムコード同期装置＞
図３は、本実施の形態であるタイムコード同期装置１００を搭載した映像記録装置１の内部構成図である。
【００１５】
圧縮符号化部２は、カメラ５から供給される映像信号を例えばＭＰＥＧ(Moving Picture Experts Group)−２で圧縮符号化して符号化映像ストリームを生成する。タイムコード付加部３は、生成された符号化映像ストリームの所定領域に後述するタイムコード同期装置１００から供給されるタイムコードを付加する。映像記録部４は、タイムコードが付加された符号化映像ストリームを所定の記録メディアに記録する。
【００１６】
タイムコード同期装置１００は、例えば映像記録装置１の内部に搭載され、タイムコード読み取り部１０１、映像同期信号補正部１０１、タイムコード読み取り部１０２、書き込みタイムコード設定部１０３を含んで構成される。
【００１７】
映像同期信号補正部１０１は、外部から補正指示信号を受け付けると、カメラ５から供給される映像信号から分離した映像同期信号を、マスターの映像記録装置１から供給されるタイムコードから分離したタイムコード同期信号に基づく所定のタイミングとなるように位置関係を補正してタイムコード読み取り部１０２に供給する。
【００１８】
タイムコード読み取り部１０２は、映像同期信号補正部１０１から供給される映像同期信号に基づいた所定のタイミングで、マスターの映像記録装置から供給されるタイムコードを読み取る。そして読み取ったタイムコードを書き込みタイムコード設定部１０３に供給する。
【００１９】
書き込みタイムコード設定部１０３は、タイムコード加算部１０２から供給されたタイムコードを、書き込みタイムコードとしてタイムコード付加部３へ供給する。
【００２０】
図４は、上記タイムコード同期装置１００によるタイムコード同期の様子を説明するタイミングチャートである。
【００２１】
入力タイムコードは、マスターの映像記録装置１から供給される。タイムコード同期信号は、この入力タイムコードの更新のタイミング毎に付加されるシンクヘッダ等から生成される。映像同期信号は、図２のトリガ信号に相当する信号で、この信号の発生タイミングで入力タイムコードが読み取られ読み取りタイムコードとなる。
【００２２】
補正指示信号は、例えば撮影開始時などにユーザによって補正指示ボタンが押されるなどして生成される信号である。
【００２３】
図３の映像同期補正部１０１は、この補正指示信号が入力される前は、供給される映像同期信号をそのまま、入力タイムコードを読み取るトリガ信号としてタイムコード読み取り部１０２へ供給する。
【００２４】
この場合、図２で説明した通り、トリガ信号の発生タイミングとタイムコードの更新タイミングとの位置関係は不定となる。従って、最悪の場合、図２（Ｂ）で示した通り読み取りタイムコードが不連続となってしまう場合がある。図４の補正指示信号発生前（左側）のタイミングチャートはこれを再度示したものである。
【００２５】
映像同期補正部１０１は、補正指示信号の入力を受け付けると、上記のように不定となっているトリガ信号の発生タイミングとタイムコードの更新タイミングとの位置関係を所定の位置関係とする。具体的には、トリガ信号の位置をタイムコード同期信号に基づいて、タイムコード同期期間の中間付近の位置になるように補正する。
【００２６】
このように補正することにより、図４の補正指示信号発生後（右側）のタイミングチャートが示すようにタイムコードが安定に読み込まれるようになる。
【００２７】
但し、上記で説明したとおり、トリガ信号の発生タイミングとタイムコードの更新タイミングとは同期が取れていないので、徐々に位置関係が前後にずれることになる。しかしながら、マスター側、スレーブ側、それぞれの映像記録装置が扱う映像同期信号の周期は水晶発信器の精度（例えば±３０ppm程度）で同等である。従って、本実施例のようにタイムコード同期の中間付近に補正映像同期信号を位置させれば、前後に同期がずれる場合でも、そのマージン（余裕期間）は双方最大（１／２フレーム期間）となる。１／２フレームのマージンが確保できれば、例えば結婚式や野球の試合などを数時間程度撮影するような使用状況においては全く問題がない。  なお、タイムコードは常に読み取る必要はない。書き込みタイムコード設定部１０３は、タイムコード読み取り部１０２から供給されたタイムコードを所定回数（４回程度）タイムコード付加部３へ供給した後は、読み取りタイムコード判断部１０２からのタイムコードの供給を受けずに、タイムコードの値を自身でカウントアップさせてタイムコード付加部３へ供給する構成としても良い。
【００２８】
また、本説明ではタイムコード同期の中間付近に映像同期信号を位置させるように補正する例を示したが、予め前方向にずれるか後ろ方向にずれるかが判明している場合は、いずれか一方向のみ最大マージン（即ち１フレーム期間）を取るように映像同期信号の位置を補正しても良い。
＜タイムコード同期方法＞
以上説明したタイムコード同期装置１００におけるタイムコード同期方法の処理の流れを図５のフローチャートを用いて説明する。
【００２９】
タイムコード同期が開始されると、タイムコード読み取り部１０２は、映像同期信号補正部１０１から供給される映像同期信号（トリガ信号）に基づいて入力タイムコードを読み取る（ステップＳ１）。
【００３０】
映像同期信号補正部１０１は、外部から補正指示信号が入力されたか否かを検出する（ステップＳ２）。検出されない場合（ステップＳ２：Ｎｏ）、映像同期信号補正部１０１は、カメラ５から供給される映像信号から分離した映像同期信号（トリガ信号）をそのままタイムコード読み取り部１０２へ供給する。タイムコード読み取り部１０２は、供給されたトリガ信号（映像同期信号）にてタイムコードを読み取る。一方、映像同期信号補正部１０１は、外部から補正指示信号が入力されたことを検出した場合（ステップＳ２：Ｙｅｓ）、トリガ信号（映像同期信号）のタイミングを上記で説明した所定の位置になるように補正する（ステップＳ４）。タイムコード読み取り部１０２は、供給された補正トリガ信号（補正映像同期信号）にてタイムコードを読み取る（ステップＳ５）。
【００３１】
書き込みタイムコード設定部１０３は、タイムコード読み取り部１０２が読み取ったタイムコードをタイムコード付加部３へ供給し、映像符号化ストリームの所定領域に付加させる（ステップＳ６）。
【００３２】
本発明は上記した装置の機能をコンピュータに実現させるためのプログラムを含むものである。これらのプログラムは、記録媒体から読み取られてコンピュータに取り込まれてもよいし、通信ネットワークを介して伝送されてコンピュータに取り込まれてもよい。
【符号の説明】
【００３３】
１：映像記録装置
２：圧縮符号化部
３：タイムコード付加部
４：映像記録部
５：カメラ
１００：タイムコード同期装置
１０１：映像同期信号補正部
１０２：タイムコード読み取り部
１０３：書き込みタイムコード設定部
【図１】
2014067463.tif 000003
【図２】
2014067463.tif 000004
【図３】
2014067463.tif 000005
【図４】
2014067463.tif 000006
【図５】
2014067463.tif 000007